(57)【要約】      （修正有）【課題】清掃性に優れ、簡単な構造でジュースの滴下を抑制することができるジューサーを提供する。【解決手段】電動機が収容された本体２と、この本体２の上部に設けられた摺り下ろし部３と、この摺り下ろし部３の出口９の下方に設けられた注口部材１０とを有し、前記注口部材１０を前記摺り下ろし部３に対し可動としたジューサーであって、前記注口部材１０に液溜め凹部１３を設けると共に、前記注口部材１０の注口１１が高くなる状態とした際に、前記液溜め凹部１３が、前記注口１１に向かって高くなる部位Ｇを有するようにした。これによって、ジュースＪの注出終了後に、前記注口部材１０の注口１１側を高くすることで、前記摺り下ろし部３の容器５に僅かに残ったジュースＪが前記出口９から滴下したとしても、このジュースＪの滴を前記液溜め凹部１３に溜め、前記注口部材１０からの滴下を抑制することができる。【選択図】図３
0003167108.tif 000002
【実用新案登録請求の範囲】
【請求項１】
電動機が収容された本体と、
この本体の上部に設けられた摺り下ろし部と、
この摺り下ろし部の出口の下方に設けられた注口部材とを有し、
前記注口部材を前記摺り下ろし部に対し可動としたジューサーにおいて、
前記注口部材に液溜め凹部を設けると共に、
前記注口部材の注口が高くなる状態とした際に、前記液溜め凹部が、前記注口に向かって高くなる部位を有するように構成したことを特徴とするジューサー。
【請求項２】
前記注口部材の注口が低くなる状態とした際に、前記液溜め凹部全体が、前記注口に向かって低くなるように構成したことを特徴とする請求項１記載のジューサー。
【請求項３】
前記液溜め凹部を凹曲面状に形成したことを特徴とする請求項２記載のジューサー。
【請求項４】
前記注口部材の注口が低くなる状態とした際に、前記液溜め凹部が前記出口の直下に位置するように構成したことを特徴とする請求項３記載のジューサー。
【考案の詳細な説明】
【技術分野】
【０００１】
本考案は、ジュースの滴下を抑制することができるジューサーに関するものである。
【背景技術】
【０００２】
従来、この種のジューサーとして、電動機が収容された本体と、この本体の上部に設けられた研磨座（本願考案の摺り下ろし部に相当する）と、この研磨座の出口の下方に設けられたガイド溝（本願考案の注口部材に相当する）とを有し、このガイド溝を前記研磨座に対し揺動可能としたものが知られている（例えば、特許文献１参照。）。そして、このジューサーは、前記ガイド溝に嵌め込み体を有し、前記ガイド溝の注口側を上げることで、前記嵌め込み体を前記出口に嵌めて、この出口を閉鎖できるように構成されていた。そして、前記出口が閉鎖されることで、前記研磨座に残ったジュースが滴下しないようにすることができる。
【先行技術文献】
【特許文献】
【０００３】
【特許文献１】実用新案登録第３１３１７０１号公報
【考案の概要】
【考案が解決しようとする課題】
【０００４】
しかしながら、このようなジューサーは、前記ガイド溝の注口側を下げないで果物等を摺り下ろすと、搾り出されたジュースが前記研磨座内で溢れてしまう虞があった。そして、前記研磨座内でジュースが溢れると、このジュースが前記本体内に侵入して電動機等の電気部品を濡らしてしまう虞があった。また、このようなジューサーは、ジュースの滴下を防止するために、前記出口を閉鎖するための嵌め込み体が必要となるため、部品点数が増えるばかりでなく、清掃が面倒であるという問題もあった。
【０００５】
本考案は以上の問題点を解決し、清掃性に優れ、簡単な構造でジュースの滴下を抑制することができるジューサーを提供することを目的とする。
【課題を解決するための手段】
【０００６】
本考案の請求項１に記載のジューサーは、電動機が収容された本体と、この本体の上部に設けられた摺り下ろし部と、この摺り下ろし部の出口の下方に設けられた注口部材とを有し、前記注口部材を前記摺り下ろし部に対し可動としたジューサーにおいて、前記注口部材に液溜め凹部を設けると共に、前記注口部材の注口が高くなる状態とした際に、前記液溜め凹部が、前記注口に向かって高くなる部位を有するように構成したものである。
【０００７】
また、本考案の請求項２に記載のジューサーは、請求項１において、前記注口部材の注口が低くなる状態とした際に、前記液溜め凹部全体が、前記注口に向かって低くなるように構成したものである。
【０００８】
また、本考案の請求項３に記載のジューサーは、請求項２において、前記液溜め凹部を凹曲面状に形成したものである。
【０００９】
更に、本考案の請求項４に記載のジューサーは、請求項３において、前記注口部材の注口が低くなる状態とした際に、前記液溜め凹部が前記出口の直下に位置するように構成したものである。
【考案の効果】
【００１０】
本考案の請求項１に記載のジューサーは、以上のように構成することにより、前記注口部材の注口側を低くした状態で、前記電動機を作動させて前記摺り下ろし部で果物等を摺り下ろすことで、搾り出されたジュースが前記出口を経由して前記注口部材から注出される。そして、ジュースの注出終了後に、前記注口部材の注口側を高くすることで、前記摺り下ろし部に僅かに残ったジュースが前記出口から滴下したとしても、このジュースの滴を前記液溜め凹部に溜め、前記注口部材からの滴下を抑制することができる。
【００１１】
なお、前記注口部材の注口が低くなる状態とした際に、前記液溜め凹部全体が、前記注口に向かって低くなるように構成することで、前記液溜め凹部にジュースが殆ど残らないようにすることができるので、前記注口部材の清掃性を向上させることができる。
【００１２】
また、前記液溜め凹部を凹曲面状に形成することで、前記注口部材を拭いた際にジュースを残らず拭き取ることができる。
【００１３】
更に、前記注口部材の注口が低くなる状態とした際に、前記液溜め凹部が前記出口の直下に位置するように構成することで、前記出口から流出したジュースが前記注口部材に当たった際に、ジュースが前記液溜め凹部の曲面に沿って滑らかに流れるので、ジュースの飛沫が飛び散らないようにすることができる。
【図面の簡単な説明】
【００１４】
【図１】本考案の一実施形態を示すジューサーの左側面図である。
【図２】同、注口部材の注口を最も低くした状態の要部の拡大断面図である。
【図３】同、注口部材の注口を最も高くした状態の要部の拡大断面図である。
【図４】本考案の他の実施形態を示すジューサーの注口部材の注口を最も低くした状態の要部の拡大断面図である。
【図５】同、注口部材の注口を最も高くした状態の要部の拡大断面図である。
【考案を実施するための形態】
【００１５】
以下、本考案の実施形態について、図１乃至図３に基づいて説明する。なお、以下の説明において、各図の左側を前、右側を後とする。１は本考案のジューサーである。このジューサー１は、本体２と、この本体２の上部に着脱可能に取り付けられる摺り下ろし部３とを有して構成される。そして、前記本体２は、その内部に電動機４を有する。また、前記摺り下ろし部３は、容器５と、容器蓋６と、押込棒７とを有して構成される。なお、前記押込棒７は、前記容器蓋６に設けられた筒状の投入口８に挿入される。また、前記容器５の下前部には、下向きの出口９及び注口部材１０が設けられる。なお、前記注口部材１０は、樋状に形成されると共に、前記出口９の下方に設けられる。また、前記注口部材１０は、前記摺り下ろし部３の容器５に対し可動に設けられる。更に、前記容器５内には、前記電動機４によって回転させられる下ろし刃やフィルタ等（図示せず）が、着脱可能に収容される。
【００１６】
前記注口部材１０は、図２のように、注口１１が低くなる姿勢と、図３のように、前記注口１１が高くなる姿勢とを択一的に切り換えることができるように構成される。なお、本実施形態では、図２の状態と図３の状態とを択一的に選択するように構成したが、図２の状態から図３の状態まで無段階で調節できるように構成してもよい。また、前記注口部材１０の後端には、後壁１２が形成される。更に、前記注口部材１０の注口１１と後壁１２との間には、滑らかな凹曲面状の液溜め凹部１３が形成される。そして、この液溜め凹部１３は、前記出口９のほぼ直下に位置する。特に、前記注口１１を最も低くした図２の状態において、前記液溜め凹部１３は、前記出口９の直下に位置する。また、前記注口１１を最も低くした図２の状態において、前記液溜め凹部１３は、その全体が前記注口１１に向かって低くなるように構成される。一方、前記注口１１を最も高くした図３の状態において、前記液溜め凹部１３は、その前部に、前記注口１１に向かって高くなる部位Ｇを有する。なお、前記注口１１を最も高くした図３の状態であっても、前記注口部材１０は、全体として前記注口１１側がやや低くなるように傾斜する。
【００１７】
次に、本実施形態の作用について説明する。まず、使用者は、前記注口部材１０を、前記注口１１が最も低くなる図２の状態にする。そして、使用者は、前記電動機４を作動させた後、前記投入口８から食材を投入し、これを図示しない下ろし刃に前記押込棒７を用いて押し付ける。前記電動機４の回転に伴って前記下ろし刃が回転するので、押し付けられた食材は、前記下ろし刃によって摺り下ろされる。そして、摺り下ろされた食材は、遠心力によって図示しないフィルタに運ばれ、ジュースＪと絞り滓に分離される。そして、前記フィルタを通過したジュースＪは、前記出口９から前記容器５外に流出する。更に、前記出口９から流出したジュースＪは、前記出口９の下方に設けられる前記注口部材１０から注出され、図示しないジュース受け容器に溜められる。
【００１８】
なお、前述したように、図２の状態において、滑らかな凹曲面状の前記液溜め凹部１３が前記出口９の直下に位置するので、前記出口９から落下したジュースＪは、前記液溜め凹部１３の曲面に沿って滑らかに方向転換する。従って、ジュースＪが前記出口９から注口部材１０に落下した際に、飛沫が飛び散りにくい。また、前述したように、図２の状態において、前記液溜め凹部１３全体が前記注口１１に向かって低くなるように構成されるので、前記出口９から落下したジュースＪは、前記液溜め凹部１３に殆ど残ることなく、前記注口１１から前記ジュース受け容器に注がれる。従って、拭き取られるジュースＪの量を少なくすることができるので、前記注口部材１０は容易に清掃される。更に、前記液溜め凹部１３が滑らかな凹曲面状であるので、前記液溜め凹部１３及びその周辺の表面を濡らした水やジュースＪを、拭き残すことなく容易に拭き取ることができる。
【００１９】
なお、前記注口部材１０を図３の状態としたまま、食材を摺り下ろしてしまった場合、前記液溜め凹部１３が前記出口９のほぼ直下に位置することで、前記液溜め凹部１３の深さ分、前記出口と注口部材１０との間隔が広いので、ジュースＪの前記出口９からの流出が妨げられにくい。従って、ジュースＪは、前記容器５内で溢れにくい。また、図３の状態であっても、前記注口１１がやや下向きであるので、前記液溜め凹部１３に溜めることができる量以上のジュースＪが前記出口９から流出すれば、このジュースＪは、前記注口１１から前記ジュース受け容器に注がれる。但し、この際、少量のジュースＪが前記液溜め凹部１３に残る。なお、この残ったジュースＪは、前記注口部材１０を図２の状態にすることで、前記ジュース受け容器に注ぐことができる。
【００２０】
食材を全て摺り下ろし終わったら、前記電動機４を停止させる。これによって、摺り下ろされた食材からのジュースＪの遠心分離が終了する。そして、前記容器５内に残ったジュースＪが前記出口９からほぼ流出し終わったら、前記注口部材１０の注口１１を高くして、図２の状態とする。なお、図２の状態でも、前記容器５内に僅かに残ったジュースＪが、前記出口９から滴下する虞がある。しかしながら、前記液溜め凹部１３が、前記注口１１に向かって高くなる部位Ｇを有するので、この部位Ｇによって、ジュースＪが前記注口１１に流れることが妨げられる。これによって、前記出口９から滴下した少量のジュースＪは、前記液溜め凹部１３に溜められる。従って、前記ジュース受け容器に溜められたジュースＪをコップ等に注ぐために、前記ジュース受け容器を前記注口部材１０の下方から移動させても、前記出口９から滴下したジュースＪをテーブル等に滴下させにくくすることができる。
【００２１】
以上のように、本考案のジューサー１は、電動機４が収容された本体２と、この本体２の上部に設けられた摺り下ろし部３と、この摺り下ろし部３の出口９の下方に設けられた注口部材１０とを有し、前記注口部材１０を前記摺り下ろし部３に対し可動としたものであって、前記注口部材１０に液溜め凹部１３を設けると共に、前記注口部材１０の注口１１が高くなる状態とした際に、前記液溜め凹部１３が、前記注口１１に向かって高くなる部位Ｇを有するように構成したので、ジュースＪの注出終了後に、前記注口部材１０の注口１１側を高くすることで、前記摺り下ろし部３の容器５に僅かに残ったジュースＪが前記出口９から滴下したとしても、このジュースＪの滴を前記液溜め凹部１３に溜め、前記注口部材１０からの滴下を抑制することができるものである。
【００２２】
また、本考案のジューサー１は、前記注口部材１０の注口１１が低くなる状態とした際に、前記液溜め凹部１３全体が前記注口１１に向かって低くなるように構成したことで、ジュースＪの注出後にジュースＪが前記液溜め凹部１３に殆ど残らないようにすることができるので、前記注口部材１０の清掃性を向上させることができるものである。
【００２３】
また、本考案のジューサー１は、前記液溜め凹部１３を凹曲面状に形成したことで、前記注口部材１０を拭く際にジュースＪ等を残らず拭き取ることができるものである。
【００２４】
更に、本考案のジューサー１は、前記注口部材１０の注口１１が低くなる状態とした際に、前記液溜め凹部１３が前記出口９の直下に位置するように構成したことで、前記出口９から流出したジュースＪが前記注口部材１０に当たった際に、ジュースＪが前記液溜め凹部１３の曲面に沿って滑らかに流れるので、ジュースＪの飛沫が飛び散らないようにすることができるものである。
【００２５】
なお、本考案は以上の実施形態に限定されるものではなく、考案の要旨の範囲内で種々の変形実施が可能である。例えば、上記実施形態では、注口部材の一部を液溜め凹部としたが、図４及び図５に示すように、注口部材２０全体を液溜め凹部２３としてもよい。
【符号の説明】
【００２６】
１  ジューサー
２  本体
３  摺り下ろし部
４  電動機
９  出口
１０，２０  注口部材
１１  注口
１３，２３  液溜め凹部
Ｇ  注口に向かって高くなる部位
【図１】
0003167108.tif 000003
【図２】
0003167108.tif 000004
【図３】
0003167108.tif 000005
【図４】
0003167108.tif 000006
【図５】
0003167108.tif 000007